(57)【特許請求の範囲】
【請求項１】
本体に対して着脱可能に設けられ、所定の圧縮動画ファイルデータを電気的に記録した複数の板状記録媒体と、
上記本体に設けられ、上記圧縮動画ファイルデータを読み出して伸張処理を施す伸張手段と、
上記本体に設けられ、上記伸張された再生画像データを所定の出力方式の画像データに変換する変換手段と、
上記本体または外部に設けられ、上記出力方式の画像データを所定表示領域に表示する表示手段と、
上記画像データを再生する開始および終了時間を予め設定するタイマー手段と、
上記圧縮動画ファイルデータをセクター単位で最小に一時的に記憶する一時記憶手段と、
上記画像データを上記圧縮動画ファイルデータに基づいて所定単位毎に繰り返し再生し、
上記タイマー手段で設定された任意の時間で上記画像データを再生し、
上記圧縮動画ファイルデータを上記板状記録媒体からリアルタイムで読み出して、上記圧縮動画ファイルデータのリアルタイム再生に必要な最小単位として上記一時記憶手段に一時的に記憶し、上記画像データをリアルタイムに読みながら再生し、且つ、
上記複数の上記板状記録媒体に記録された上記圧縮画像ファイルデータを交互に読み出して上記画像データを連続して再生する制御手段とを備えた情報再生装置。
【請求項２】
請求項１記載の情報再生装置において、
上記板状記録媒体は不揮発性メモリである情報再生装置。
【請求項３】
請求項１記載の情報再生装置において、
上記板状記録媒体は、上記本体の動作を制御する制御プログラムを上記本体に対して更新可能に記録する情報再生装置。
【請求項４】
請求項３記載の情報再生装置において、
上記本体は、上記制御プログラムを実行することにより、任意の動作状態を上記表示手段に画像表示する情報再生装置。
【請求項５】
請求項４記載の情報再生装置において、
上記動作状態の画像表示は、所定の文字データを画像データに合成させて行う情報再生装置。
【請求項６】
請求項３記載の情報再生装置において、
上記本体は、上記制御プログラムを実行することにより、上記本体に有しない制御指令を実行する情報再生装置。
【請求項７】
請求項１記載の情報再生装置において、
複数の上記画像データを再生する順序を予め設定する設定手段を設け、任意の順序で複数の上記画像データを再生する情報再生装置。
【請求項８】
請求項１記載の情報再生装置において、
上記本体または外部に音声データを再生するスピーカを設け、
上記板状記録媒体は圧縮音声ファイルデータを電気的に記録し、
上記伸張手段は上記圧縮音声ファイルデータを読み出して伸張処理を施し、
上記変換手段は上記伸張された再生音声データを所定の出力方式の音声データに変換する情報再生装置。
【請求項９】
請求項１記載の情報再生装置において、
上記板状記録媒体が、アプリケーション処理層の下に、順次、ファイル管理処理層、論理アドレス層、物理アドレス層、フラッシュメモリアクセスをおかれたフォーマットを有し、上記画像データを再生する際に、アプリケーション処理層、ファイル管理処理層、論理アドレス層、物理アドレス層、フラッシュメモリアクセスがすべて使用される情報再生装置。
【請求項１０】
請求項１記載の情報再生装置において、
上記圧縮画像ファイルデータ上に記録ファイルデータ識別符号の格納領域を設け、上記制御手段に本体識別符号の記憶手段を設け、上記記録ファイルデータ識別符号と上記本体識別符号とが一致したときに、上記板状記録媒体内の一致した上記圧縮動画ファイルデータのみを読み出して、当該画像データを再生する情報再生装置。
【請求項１１】
請求項１０記載の情報再生装置において、
上記本体識別符号は書き換え可能である情報再生装置。
【請求項１２】
請求項１１記載の情報再生装置において、
上記本体識別符号の書き換えは、上記本体に装着された上記板状記録媒体を用いて行われる情報再生装置。
【請求項１３】
請求項１１記載の情報再生装置において、
上記本体識別符号の書き換えは、上記本体識別符号の記憶手段に対する切り替えスイッチを用いて行われる情報再生装置。
【発明の詳細な説明】
【０００１】
【発明の属する技術分野】
本発明はファイルが記憶される記憶媒体に記憶されたファイルの再生を行うことのできる情報再生装置に関するものである。
【０００２】
【従来の技術】
近年、例えばフラッシュメモリなどの固体記憶素子を搭載した小型の記憶媒体を形成し、専用のドライブ装置や、或いはドライブ装置をオーディオ／ビデオ機器、情報機器などに内蔵して、コンピュータデータ、画像データ、音声データなどを記憶できるようにするものが開発されている。
【０００３】
【発明が解決しようとする課題】
ところが、記録媒体としてテープを用いた機器では、テープに経年変化による劣化が発生し、また、テープ上に連続記録するため記録開始点と記録終了点の概念があるため、検索時には巻き戻しの動作が必要となるという不都合があった。
【０００４】
また、記録媒体としてテープやビデオコンパクトディスク（ビデオＣＤ）を用いた機器では、情報が磁気的記録されていて、専用の磁気記録ヘッドが必要であると共に、その再生のために可動構造の機構部を有するため、使用による機構部の劣化が発生するという不都合があった。
【０００５】
さらに、記録媒体としてテープやビデオＣＤを用いた機器では、記録媒体の体積が大きいため、保管するために広い空間を要する他、機器本体もこれに応じた大きさが必要となることから、装置が大型化するという不都合があった。
【０００６】
本発明はこのような要望に応じて、装置の小型化および再生データの信頼性の向上を図ることを課題とする。
【０００７】
【課題を解決するための手段】
本発明の情報再生装置は、本体に対して着脱可能に設けられ、所定の圧縮動画ファイルデータを電気的に記録した複数の板状記録媒体が設けられる。
【０００８】
さらに、情報再生装置は、本体に設けられ、圧縮動画ファイルデータを読み出して伸張処理を施す伸張手段と、本体に設けられ、伸張された再生画像データを所定の出力方式の画像データに変換する変換手段と、本体または外部に設けられ、出力方式の画像データを所定表示領域に表示する表示手段と、画像データを再生する開始および終了時間を予め設定するタイマー手段と、圧縮動画ファイルデータをセクター単位で最小に一時的に記憶する一時記憶手段と、画像データを圧縮動画ファイルデータに基づいて所定単位毎に繰り返し再生し、タイマー手段で設定された任意の時間で画像データを再生し、圧縮動画ファイルデータを板状記録媒体からリアルタイムで読み出して、圧縮動画ファイルデータのリアルタイム再生に必要な最小単位として一時記憶手段に一時的に記憶し、画像データをリアルタイムに読みながら再生し、且つ、複数の板状記録媒体に記録された圧縮画像ファイルデータを交互に読み出して画像データを連続して再生する制御手段とを備えている。
【０００９】
このような情報再生装置によれば以下のような作用をする。
制御手段は、板状記録媒体内に記録されている圧縮画像データおよび圧縮音声データを読み出す。読み出された圧縮画像データおよび圧縮音声データは、伸張手段に供給される。伸張手段は、圧縮画像データを伸張処理して再生された画像データを生成し、圧縮音声データを伸張処理して再生された音声データを生成する。
【００１０】
伸張手段で生成された再生された画像データは変換手段に供給され、変換手段はコンポジット信号のビデオ出力信号を出力する。また、伸張手段で生成された再生された音声データは変換手段に供給され、変換手段はアナログ信号のオーディオ出力信号を出力する。
【００１１】
コンポジット信号のビデオ出力信号は表示手段に供給され画像表示される。再生画像は制御手段により圧縮動画ファイルデータに基づいて所定単位毎に繰り返し再生される。
【００１２】
【発明の実施の形態】
以下、本発明の実施の形態について説明する。なお、実施の形態としての記憶媒体は板状の外形形状を有する板状半導体メモリとし、また本発明の情報再生装置は、板状半導体メモリに対して圧縮画像ファイルの繰り返し再生を行うことのできるものである。
【００１３】
［情報再生装置の構成］
図１で本例の情報再生装置の構成を説明する。
図１は、後述する板状半導体メモリに対応してデータの読出・表示を行うことの出来る情報再生装置１の外観を示している。この図に示す情報再生装置１と板状半導体メモリ２とにより、情報再生システムが構成される。
【００１４】
板状半導体メモリ２は、情報再生装置１の例えば上端面に設けられた着脱機構部にその端子部が接合することにより装着される。
【００１５】
情報再生装置１は、薄板状に形成され、前面に画像表示用のＬＣＤ（Ｌｉｑｕｉｄ  Ｃｒｙｓｔａｌ  Ｄｉｓｐｌａｙ）３が設けられ、端部にスピーカ４が設けられ、他の端面には外部出力端子５が設けられる。
【００１６】
図１は、情報再生装置１にＬＣＤ３およびスピーカ４が一体に設けられている例を示すが、これに限らず、ＬＣＤおよびスピーカを外部に設け、外部出力端子５からケーブルを介して外部のＬＣＤおよびスピーカと情報再生装置１とを接続しても良い。なお、ＬＣＤ３は、例えば、４インチ型が用いられる。
【００１７】
なお、情報再生装置１が、板状半導体メモリ２からの繰り返し読出の対象として扱うことのできる主データの種類は多様であり、例えば圧縮動画データ、音声データ（以下、ボイスデータ）、ＨｉＦｉオーディオデータ（以下、音楽用データ）、制御用データなどがある。また、これに限らず、静止画データでも良い。
【００１８】
本例では、説明の簡略化のため、主データとしての圧縮動画データ、圧縮音声データ（ボイスデータともいう）を再生するシステムとして説明していくが、情報再生装置１内に、静止画、音楽等のデータの入出力系／処理系を備えることにより、これらのデータファイルの再生システムとできることはいうまでもない。
【００１９】
上述した本実施の形態の情報再生装置によれば、板状半導体メモリを用いて、圧縮画像データとして広告動画データの繰り返し再生を行うことができ、さらに、後述するように、特定の装置に対するデータや制御プログラムの入れ替えを行うことが可能となる。
【００２０】
図２は、情報再生装置の構成を示すブロック図である。
図２において、情報再生装置１は、圧縮動画データおよび圧縮音声データを記憶した板状半導体メモリ２と、制御を行うマイクロコンピュータ６と、圧縮動画データおよび圧縮音声データを伸張処理して画像データおよび音声データを生成するＭＰＥＧ（Ｍｏｖｉｎｇ  Ｐｉｃｔｕｒｅ  Ｅｘｐｅｒｔｓ  Ｇｒｏｕｐ  ）デコーダ７と、画像データをＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）方式にエンコードしてＲ（赤），Ｇ（緑），Ｂ（青）のビデオ出力信号ＶＯを出力するＮＴＳＣエンコーダ８と、音声データをアナログに変換してオーディオ出力信号ＡＯを出力するＤ／Ａ（Ｄｉｇｉｔａｌ  ｔｏ  Ａｎａｌｏｇ）コンバータ９とを有して構成される。
【００２１】
このように構成された情報再生装置は、以下のような動作をする。
図２において、マイクロコンピュータ６は、板状半導体メモリ２内に記録されている圧縮画像データおよび圧縮音声データを読み出す。読み出された圧縮画像データおよび圧縮音声データは、ＭＰＥＧデコーダ７に供給される。ＭＰＥＧデコーダ７は、圧縮画像データを伸張処理して再生された画像データを生成し、圧縮音声データを伸張処理して再生された音声データを生成する。
【００２２】
ＭＰＥＧデコーダ７で生成された再生された画像データはＮＴＳＣエンコーダ８に供給され、ＮＴＳＣエンコーダ８はコンポジット信号のビデオ出力信号ＶＯを出力する。また、ＭＰＥＧデコーダ７で生成された再生された音声データはＤ／Ａコンバータ９に供給され、Ｄ／Ａコンバータ９はアナログ信号のオーディオ出力信号ＡＯを出力する。
【００２３】
図３は、情報再生装置の詳細な構成を示すブロック図である。
図３において、情報再生装置１は、本体部１０と、出力ユニット３０とを有して構成される。なお、図３においては、図２に示した構成の他の構成を主に説明する。既に図２に説明した部分は省略する。
【００２４】
本体部１０は、制御データおよび制御プログラムが格納されるフラッシュＲＯＭ（Ｒｅａｄ  Ｏｎｌｙ  Ｍｅｍｏｒｙ）１１と、板状半導体メモリ２から読み出したデータを整理するためのＳＲＡＭ（Ｓｔａｔｉｃ  Ｒａｎｄｏｍ  Ａｃｃｅｓｓ  Ｍｅｍｏｒｙ）１２と、ＳＲＡＭ１２に記憶されたデータの読み出しのタイミングを調整するロジック回路１３と、８ビットバス１９とを有して構成される。
【００２５】
また、本体部１０は、ＭＰＥＧデコーダ７の内部にメニュー表示用などの文字データを生成するＯＳＤ（Ｏｎ  Ｓｃｒｅｅｎ  Ｄｉｓｐｌａｙ）出力部１４と、ＭＰＥＧデコーダ７の処理のためのＳＤＲＡＭ（Ｓｙｎｃｈｒｏｎｏｕｓ  Ｄｉｎａｍｉｃ  ＲＡＭ）１５とを有して構成される。
【００２６】
また、本体部１０は、ＮＴＳＣエンコーダ８用の動作周波数２７ＭＨｚを生成するＶＣＯ（Ｖｏｌｔａｇｅ  Ｃｎｔｏｒｏｌ  Ｏｓｃｉｌｌａｔｏｒ：電圧制御発振器）１６と、ＮＴＳＣエンコーダ８からの出力を所定レベルに増幅してビデオ出力信号ＶＯを出力するアンプ１７と、Ｄ／Ａコンバータ９の出力に含まれるノイズを除去するＬＰＦ（Ｌｏｗ  Ｐａｓｓ  Ｆｉｌｔｅｒ：低域通過フィルタ）１８とを有して構成される。
【００２７】
また、本体部１０は、外部のリモートコントローラからの赤外線制御信号を受信して所定の制御信号をマイクロコンピュータ６に供給するリモートコマンダ２０と、マイクロコンピュータ６に対して後述する識別符号の設定を入力可能な８ビットスイッチ２１と、設定される識別符号データを不揮発記憶可能なＥＥＰＲＯＭ（Ｅｌｅｃｔｒｉｃａｌ  Ｅｒａｓａｂｌｅ  Ｐｒｏｇｒａｍｍａｂｌｅ  Ｒｅａｄ  Ｏｎｌｙ  Ｍｅｍｏｒｙ）２２とを有して構成される。
【００２８】
また、本体部１０は、マイクロコンピュータ６の内部に板状半導体メモリ２とのインターフェースを行う板状半導体メモリ用ドライバ２６を有して構成される。
【００２９】
また、本体部１０は、マイクロコンピュータ６にタイマー動作をさせるためのタイマーユニット２３を有して構成される。タイマーユニット２３は、タイマー動作の設定をするタイマーＩＣ２４と、放電時間が比較的長く３日間電圧を蓄積可能な電気２重層コンデンサＣ２５と、電流逆流防止用のダイオード２６とを有して構成される。
【００３０】
また、出力ユニット３０は、ビデオ出力信号ＶＯに基づいてＬＣＤ３の表示動作のための駆動信号を供給するドライバ３１と、ＬＣＤ３の表示タイミングを制御するための同期信号等を供給するコントローラ３２とを有して構成される。
【００３１】
また、出力ユニット３０は、マイクロコンピュータ６からの制御に基づいてオーディオ出力信号ＡＯの出力レベルを調整する電子ボリューム３４と、レベル調整されたオーディオ出力信号を所定増幅率に増幅するアンプ３３とを有して構成される。
【００３２】
なお、タイマーユニット２３および出力ユニット３０は、選択的に設けないようにして構成することも可能である。なお、この場合には、出力ユニット３０の代わりに、外部出力端子５からケーブルを介して外部のモニタ及びスピーカと本体部１０とを接続する。
【００３３】
また、情報再生装置の電源電圧は、以下のようにして生成する。まず、ＡＣ（Ａｌｔｅｒｎａｔｉｎｇ  Ｃｕｒｒｅｎｔ）コンバータを介して交流１００ボルト電圧を直流６ボルト電圧に変換して、さらに、６ボルト電圧を電圧レギュレータを用いて２．５ボルト電圧および５ボルト電圧に降下させ、また、６ボルト電圧をＤ／Ｄ（Ｄｉｒｅｃｔ  Ｃｕｒｒｅｎｔ  ｔｏ  Ｄｉｒｅｃｔ  Ｃｕｒｒｅｎｔ：直流間）コンバータを用いて３．３ボルト電圧に降圧し、また１２ボルト電圧および１５ボルト電圧に昇圧させる。
【００３４】
例えば、２．５ボルト電圧および３．３ボルト電圧はＭＰＥＧデコーダ７に用い、３．３ボルト電圧はマイクロコンピュータ６に用い、５ボルト電圧は電気２重層コンデンサ２５、アンプ１７、２３およびＬＰＦ１８に用い、１２ボルト電圧および１５ボルト電圧はＬＣＤ３に用いられる。
【００３５】
図４は、ＯＳＤデコーダの出力部を示す図である。
図４において、ＯＳＤ出力部１４は、入力データＩＤをデコードしてメニュー画面などの文字データのＯＳＤデータＯＤを生成するＯＳＤデコーダ４０と、ＯＳＤデータＯＤと画像伸張処理された再生画像データＶＤとを合成処理するビデオミキサー４１と、合成ビデオデータＶＭを出力する出力端子４２とを有して構成される。
【００３６】
このようにして、再生画像データにメニュー画面などのＯＳＤデータを合成してＬＣＤ３に表示可能に出力することができる。
【００３７】
また、これに限らず、ＯＳＤ出力部１４をＭＰＥＧデコーダ７内に設けることなく、再生画像データに外部から供給されるＯＳＤデータを合成して出力するように構成しても良い。
【００３８】
以下、図５〜図７を用いて、上述した情報再生装置の各部の動作を説明する。
図５は、再生データの転送タイミングの調整部を示す図である。
図５において、マイクロコンピュータ６は、板状半導体メモリ２内に記録されている圧縮された画像データおよび音声データを読み出す。なお、板状半導体メモリ２からの読み出しの転送レートは、例えば、５１２バイト単位で、２．４５メガバイト／秒である。また、板状半導体メモリ２内に記録されている圧縮された画像データおよび音声データの読み出しは、３線シリアル方式により行われる。
【００３９】
読み出された圧縮された画像データおよび音声データは、一旦セクター単位にＳＲＡＭ１２へ格納される。なお、記憶容量はリアルタイム再生が途切れない為に必要なセクター単位に応じて任意に選択すればよい。
【００４０】
次に、ＳＲＡＭ１２に書き込まれた圧縮された画像データおよび音声データは、マイクロコンピュータ６により読み出され、ＭＰＥＧデコーダ７へ転送される。
このデータ転送の際に、ロジック回路１３により、マイクロコンピュータ６とＭＰＥＧデコーダ７との間のデータ転送のタイミングが調整される。
【００４１】
具体的には、マイクロコンピュータのマスタークロックは１０ＭＨｚ、処理データは１６ビットであるのに対して、ＭＰＥＧデコーダ７の内部クロックは１１０ＭＨｚ、処理データは８ビットである。従って、マイクロコンピュータ６とＭＰＥＧデコーダ７との間の１回のデータ転送に対して、ＭＰＥＧデコーダ７からマイクロコンピュータ６へ２回データを戻す必要がある。
【００４２】
このため、転送するデータを保持するためのラッチ５０と、データを戻すためのゲート５１と、ラッチ５０の保持および出力のタイミングを合わせるＩＣ（Ｉｎｔｅｇｒａｔｅｄ  Ｃｉｒｃｕｉｔ）５３と、ゲート５１出力のタイミングを合わせるＩＣ５２とが設けられている。
【００４３】
ＭＰＥＧデコーダ７では、ＭＰＥＧ１フォーマットで圧縮された画像データおよび音声データが伸張処理される。このＭＰＥＧデコーダ７で伸張処理するためのマクロコードは、フラッシュＲＯＭ１１に書き込まれており、電源投入時にマイクロコンピュータ６がこのマクロコードを読み出してＭＰＥＧデコーダ６の制御を行っている。このマクロコードは、再生装置における「ＰＬＡＹ（再生）」に相当する動作をさせるためのコードである。
【００４４】
図６は、オーディオおよびビデオ出力部を示す図である。
図６において、ＭＰＥＧデコーダ７で伸張処理された画像データは８ビットパラレルデータとして、ＮＴＳＣエンコーダ８に供給され、Ｒ，Ｇ，Ｂのコンポジット信号に変換されて、ビデオ出力信号ＶＯとして出力される。
【００４５】
また、ＭＰＥＧデコーダ７で伸張処理された音声データは、Ｄ／Ａコンバータ９へ供給され、クロック信号、Ｌ（左）信号，Ｒ（右）信号などのアナログ信号に変換されて、オーディオ出力信号ＡＯとして出力される。
【００４６】
なお、図３に示したＶＣＯ１６は、データの基準クロックを生成し、１３．５ＭＨｚのクリスタル発振周波数を２倍し、２７ＭＨｚの基準クロック周波数をＭＰＥＧデコーダ７およびＮＴＳＣエンコーダ８に供給している。
【００４７】
なお、コンポジット信号のビデオ出力信号ＶＯは、図３に示したアンプ１７により信号レベルを２倍に増幅され（６ｄＢ）、７５オームで終端されて、外部出力端子５からライン出力される。
【００４８】
さらに、図３に示す出力ユニット３０にも、コンポジット信号のビデオ出力信号ＶＯは供給され、コントローラ３２で垂直および水平のタイミングを調整されてＬＣＤ３に出力される。
【００４９】
なお、ＬＣＤ３におけるメニュー画面等のＯＳＤ表示は、ＭＰＥＧデコーダ７の内部に搭載されるＯＳＤ出力部１４を用いて行われている。
【００５０】
また、アナログのオーディオ出力信号ＡＯは、図３に示したＬＰＦ１８でノイズを除去され、外部出力端子５からライン出力される。
【００５１】
さらに、図３に示す出力ユニット３０にも、アナログのオーディオ出力信号ＡＯは供給され、電子ボリューム３４およびアンプ３３で音声信号レベルを可変増幅されて、スピーカ４へ出力される。
【００５２】
なお、電子ボリューム３４は、外部のリモートコントローラからの操作により、リモートコマンダ２０を介してマイクロコンピュータ６がレベル制御を行っている。
【００５３】
また、図３に示したように、タイマユニット２３を設けて、タイマーＩＣ２４のタイマー機能を電気２重層コンデンサ２５にて電源電圧をバックアップをさせている。
【００５４】
また、タイマーＩＣ２４の電源電圧は、電気２重層コンデンサ２５でバックアップされ、マイクロコンピュータ６からの現在時刻、アラームなどのタイマーの各設定は、このタイマーＩＣ２４自体がバックアップ期間中のみ記憶している。
【００５５】
なお、タイマーＩＣ２４によるタイマー動作は、例えば、開店時間（例えば午前１０時）２分前の時間になったら、動作を開始してＬＣＤ３に再生動画像を表示し、閉店時間（午後８時）になったら再生を停止するなどである。
【００５６】
また、タイマユニット２３を設けないときにも、マイクロコンピュータ６自体がタイマー機能を有していればこの機能を用いるようにしてもよい。
【００５７】
図７は、識別符号としての顧客コードの設定動作を示す図である。
図７において、情報再生装置１は、板状半導体メモリ２内のファイルデータ上に予めパーソナルコンピュータなどを用いて書き込まれた顧客コードと、情報再生装置１のＥＥＰＲＯＭ２２に予め設定されている顧客コードとの一致を検出し、両者の顧客コードが一致しなければ再生動作を開始しないプロテクト機能を有している。
【００５８】
なお、板状半導体メモリ２内のファイルデータへの顧客コードの設定は、パーソナルコンピュータなどを用いて書き込まれる。
【００５９】
また、図７に示すように、情報再生装置１への顧客コードの設定は、８ビットスイッチ２１や外部のリモートコントローラからの操作により、リモートコマンダ２０を介してマイクロコンピュータ６へ設定データが入力され、マイクロコンピュータ６からＥＥＰＲＯＭ２２にデータが設定される。なお、ＥＥＰＲＯＭ２２に設定されたデータは、電源を切っても、消滅することなく記憶される。
【００６０】
図７において、電源が投入されると、マイクロコンピュータ６は、ＥＥＰＲＯＭ２２に記憶された顧客コードを読み出し、板状半導体メモリ２内から読み出された圧縮データ内に付加された顧客コードと照合する。
【００６１】
そして、マイクロコンピュータ６は、合致したときのみ再生動作を開始し、合致しないときは、ＯＳＤ出力部１４を用いてＬＣＤ３にエラーメッセージを表示させる。
【００６２】
また、図７に示したと同様に、ＬＣＤ３の画質調整も、８ビットスイッチ２１や外部のリモートコントローラからの操作により、リモートコマンダ２０を介してマイクロコンピュータ６へ調整データが入力され、マイクロコンピュータ６からＥＥＰＲＯＭ２２に調整データが設定される。
【００６３】
なお、顧客コード数は、例えば、情報再生装置１および板状半導体メモリ２を製造するメーカや、これらを販売またはリースする商社や、これらを配置する店頭毎に、プロテクト機能を設けるように設定すればよい。例えば、２ビットで００〜ＦＦを割り当てれば、２５６個設定可能である。
【００６４】
このようにして、例えば、メーカは工場出荷時に、情報再生装置１および板状半導体メモリ２に対して、一律に現状での使用を禁止する工場コードを設定しておく。
【００６５】
そして、情報再生装置１および板状半導体メモリ２を購入した商社やリース会社は、自社の顧客コードを書き込み各店頭に配置する。これにより、情報再生装置１は、顧客コードが一致したときのみ再生を行う。
【００６６】
また、新商品のデモンストレーション用、またはサービス用として、図３に示した８ビットスイッチ２１を用いてすべての顧客コードに対して再生を可能とするようにしても良い。
【００６７】
図８は、プロテクトデータ構造を示す図である。図８に示すデータ構造は、ＭＰＥＧ１フォーマットに準拠している。
【００６８】
図８Ａは、通常のＭＰＥＧデータを示し、通常のＭＰＥＧデータは、パックヘッダ８０、システムヘッダ８１、データパケット８２、８３、・・・、終了コード８４からなる。
【００６９】
図８Ｂは、本実施の形態に適用される電子ＰＯＰ（Ｐｏｉｎｔ  Ｏｆ  Ｐｕｒｃｈａｓｅ）用ＭＰＥＧデータを示し、通常のＭＰＥＧデータは、パックヘッダ８０、システムヘッダ８１、プライベートストリームパケット８５、データパケット８２、８３、・・・、終了コード８４からなる。
【００７０】
このプライベートストリームパケット８５が、顧客コード書き込み領域８６となる。本実施の形態の情報再生装置１のＭＰＥＧデコーダ７は、このプライベートストリームパケット８５を検出して、マイクロコンピュータ６がプライベートストリームパケット８５の顧客コード書き込み領域８６に書き込まれた顧客コードを読み出して、ＥＥＰＲＯＭ２２に設定された顧客コードとを照合する。
【００７１】
なお、上述した情報再生装置１の構成はあくまでも一例であり、これに限定されるものではない。つまり、板状半導体メモリ２に対応してデータの再生が可能な構成を採る限りは、どのようなタイプの電子機器とされていても構わないものである。
【００７２】
［板状半導体メモリの外形形状］
次に、本例の記憶媒体である、板状半導体メモリの外形形状について説明する。
板状半導体メモリは、例えば板状の筐体内部に例えば所定容量のメモリ素子を備える。本例としては、このメモリ素子としてフラッシュメモリ（Ｆｌａｓｈ  Ｍｅｍｏｒｙ）が用いられるものである。
【００７３】
筐体の正面下部から底面側にかけて例えば複数個の電極を持つ端子部が形成されており、この端子部から、内部のメモリ素子に対する読出又は書込動作が行われる。筐体の平面方向の左上部は切欠部とされる。この切欠部は、この板状半導体メモリを、例えば情報再生装置本体側の着脱機構へ装填する際などに挿入方向を誤ることを防止するためのものとなる。さらに底面側には、記憶内容の誤消去を防止する目的のスライドスイッチが形成されている。なお、本実施の形態に適用される板状半導体メモリ２は、例えば、板状面積５５ミリメートル×５５ミリメートル以下に対応する。
【００７４】
［板状メモリのフォーマット］
［メモリファイルシステム処理階層］
続いて、板状半導体メモリを記憶媒体とするシステムにおけるフォーマットについて簡単に説明していく。
板状半導体メモリを記憶媒体とするシステムのファイルシステム処理階層としては、アプリケーション処理層の下に、順次、ファイル管理処理層、論理アドレス層、物理アドレス層、フラッシュメモリアクセスがおかれる。
【００７５】
なお、記録データファイルまたは再生データファイルの記録または再生処理については、アプリケーション処理層、ファイル管理処理層、論理アドレス層、物理アドレス層、フラッシュメモリアクセスがすべて使用される。
【００７６】
［物理的データ構造］
板状半導体メモリ内の記憶素子である、フラッシュメモリの物理的データ構造を説明する。
フラッシュメモリとしての記憶領域は、セグメントという固定長のデータ単位が大元となる。このセグメントは、１セグメントあたり４ＭＢ（メガバイト）或いは８ＭＢとして規定されるサイズであり、１つのフラッシュメモリ内におけるセグメント数は、そのフラッシュメモリの容量に依存して異なってくる。
【００７７】
また、フラッシュメモリの容量は、１６ＭＢ、３２ＭＢ、６４ＭＢ、最大の１２８ＭＢである。
【００７８】
［物理アドレス及び論理アドレスの概念］
各ブロックに対しては物理アドレスが付される。この物理アドレスはメモリにおけるブロックの物理的な配列順に従って決まるもので、或るブロックとこれに対応付けされた物理アドレスとの関係は不変となる。
【００７９】
ここで、ブロックデータの記憶されている使用ブロックと、ブロックデータが消去（即ち、未記録領域）された未使用ブロックとがある。
【００８０】
そして、論理アドレスは、ブロックに対して書き込まれたデータに付随するようにして割り振られるアドレスとされる。
【００８１】
ここで、上記状態から、物理アドレスに格納されているデータの更新として、内容の書き換え又は一部消去を行うとする。このような場合、フラッシュメモリのファイルシステムでは、同じブロックに対して更新したデータを再度書き込むことはせずに、未使用のブロックに対してその更新したデータを書き込むようにされる。
【００８２】
そして、データ更新前の状態では更新前の物理アドレスに対応していた論理アドレスが、更新されたデータが書き込まれたブロックの更新後の物理アドレスに対応するように、論理アドレスについての変更を行うものである。
【００８３】
つまり、物理アドレスはブロックに対して固有に付されるアドレスであり、論理アドレスは、一旦ブロックに対して書き込まれたデータに付随するようにしてついて回る、ブロック単位の書き込みデータに固有となるアドレスであるとみることができる。
【００８４】
［論理−物理アドレス変換テーブル］
上記説明から分かるように、ブロックのスワップ処理が行われることで、物理アドレスと論理アドレスの対応は変化する。従って、フラッシュメモリに対するデータの書き込み及び読み出しのためのアクセスを実現するには、物理アドレスと論理アドレスとの対応が示される論理−物理アドレス変換テーブルが必要となる。
【００８５】
［板状半導体メモリのファイル構造］
［ディレクトリ構成］
次に、板状半導体メモリ２に記憶されるファイル構造について説明していく。
まずディレクトリ構成例を示す。
【００８６】
図９は、板状半導体メモリのディレクトリを示す図である。
上述したように、板状半導体メモリで扱うことのできる主データとしては、動画データ、静止画データ、音声データ（ボイスデータ）、ＨｉＦｉオーディオデータ（音楽用データ）、制御用データなどがある。このためディレクトリ構造としては、図９に示すように、ルートディレクトリ９０から、「ＭＥＭＳＴＩＣＫ．ｉｎｄ」（板状半導体メモリ用ファイル）９１、「ＤＣＩＭ」（静止画ファイル格納用ディレクトリ）９２、「ＶＯＩＣＥ」（音声ファイル格納用ディレクトリ）９３、「ＨＩＦＩ」（音楽ファイル格納用ディレクトリ）９４、「ＭＳｘｘｘ」（メーカファイル（動画）格納用ディレクトリ）９５、「ＭＯＶＩＥ」（動画ファイル格納用ディレクトリ）９６、「ＤＡＴＡ」（情報ファイル格納用ディレクトリ）９７、が配される。
【００８７】
特に、「ＭＳｘｘｘ」（メーカファイル（動画）格納用ディレクトリ）９５のサブディレクトリとして、「ＳＭ○○」（商社ファイル格納用ディレクトリ）９８が配され、「ＳＭ○○」（商社ファイル格納用ディレクトリ）９８のサブディレクトリとして、「ＰＡＴＣＨ」（制御プログラム格納用ディレクトリ）９９、が配される。
【００８８】
さらに、「ＳＭ○○」（商社ファイル格納用ディレクトリ）９８には、「・・・・．ｍｐｇ」（店頭別動画ファイル）１０１が配され、さらに「・・・・．ｍｐｇ」（商品別動画ファイル）１０２（商品に応じて１０３〜１０６）が配される。
【００８９】
さらに、「ＰＡＴＣＨ」（制御プログラム格納用ディレクトリ）９９には、「・・・・．ｍｏｔ」（制御プログラムファイル）１００が配される。
上述した本実施の形態によれば、板状半導体メモリ２を用いて、圧縮画像データとして広告動画データの特定の装置１に対する入れ替えを行うことが可能となる。
【００９０】
板状半導体メモリ２は電気的に圧縮動画データを記録しているので、装置１内部に再生のための可動部を含む機構部が不要となるため、可動部の劣化がなく、しかも、機構部が不要なので小型化が可能となる。
【００９１】
また、板状半導体メモリ２は電気的に圧縮動画データを記録しているので、圧縮動画ファイルデータの劣化がないため、連続再生に適するため、データ再生の信頼性が向上する。
【００９２】
また、板状半導体メモリ２は電気的に圧縮動画データを記録しているので、データの書き換えが容易に行える。
【００９３】
さらに、制御プログラムを板状半導体メモリ２を用いて更新できるので、装置１のプログラムのバージョンアップを簡単に行うことができる。
【００９４】
また、制御プログラムにより、装置１のＬＣＤ３の画質調整を複数項目にわたって行うことができる。
【００９５】
また、制御プログラムにより、装置１内部のマイクロコンピュータ６に対して動的に機能させて、故障したプログラム自体を書き換えることができ、故障対策に適用することができる。
【００９６】
さらに、板状半導体メモリ２を、装置１内部のマイクロコンピュータ６の制御データ格納用の増設ＲＯＭとして用いることができる。
【００９７】
また、装置１に設定メニュー画面をＯＳＤ出力部１４を用いてＬＣＤ３に表示させて、装置１側顧客コードを設定し、板状半導体メモリ２の圧縮動画ファイルデータに装置１側顧客コードに１対１に対応させてメモリ側顧客コードを設定して、両者の一致を検出することにより、プロテクト機能を実行することができる。
【００９８】
また、板状半導体メモリ２に圧縮動画ファイルデータを複数記憶させて、順番を決めておいて、または順不同に再生することにより、プログラム再生を実行することができる。
【００９９】
さらに、タイマーユニット２３を用いて、午前、または午後における再生時間帯を決めておいて、タイマー機能を実行することができる。
【０１００】
また、板状半導体メモリ２から圧縮動画ファイルデータはリアルタイム再生されるので、板状半導体メモリ同等の容量のバッファメモリは不要である。
【０１０１】
また、装置１の板状半導体メモリ２に対する着脱部を２つ設けることにより、２つの板状半導体メモリ２から交互に動画データを連続することが可能となる。
【０１０２】
また、本実施の形態の情報再生装置１に適用される記録媒体としては、図１のような板状半導体メモリ２に限定されるものではなく、他の外形形状とされた固体メモリ媒体（メモリチップ、メモリカード、メモリモジュール等）でも構わない。
【０１０３】
また、これまで説明したファイルシステムのフォーマットも、例えば実際に応じてその細部の規定などは変更されて構わない。
【０１０４】
更には、フラッシュメモリ容量のバリエーションも上述したものに限定されるものではない。もちろん、本実施の形態の記録媒体のメモリ素子はフラッシュメモリに限られず、揮発性の他の種のダイナミック（Ｄ）ＲＡＭ、スタティック（Ｓ）ＲＡＭ等のメモリ素子でもよい。
【０１０５】
【発明の効果】
本発明の情報再生装置では、板状記録媒体を用いて繰り返し動画再生を行うことにより、装置を小型化することができ、電気的記録であるため信頼性に優れた繰り返し動画再生を実現することができ、何度再生を行っても記録媒体内のデータが劣化することがなく、しかも、電子ＰＯＰ等に用いた場合、可動部を含む機構部がないため、機構部の劣化もないことから、メンテナンス費用を軽減することができ、設置空間も広くとる必要がないという効果を奏する。
【０１０６】
さらに、板状記録媒体を用いるため、携帯性に優れた装置を実現することができるという効果を奏する。
【０１０７】
また、板状記録媒体から装置の制御プログラムの更新が可能なため、装置を解体することなく出荷後のバージョンアップや不良対応が可能となるという効果を奏する。
【０１０８】
また、板状記録媒体から装置への制御プログラムを用いて、装置にない制御指令を実行することができ、装置内部の制御状態を調査してバージョン番号をＯＳＤ機能を用いて文字データを画像データに合成させて表示手段に表示させることが可能となるという効果を奏する。
【０１０９】
また、任意の順序で複数の上記画像データを再生することにより、プログラム再生を実行することが可能で、さらにタイマー動作も可能となるという効果を奏する。
【０１１０】
また、複数の板状半導体メモリを交互に再生することにより、長時間の連続再生を可能とすることができるという効果を奏する。
【０１１１】
さらに、装置と板状記録媒体内のファイルデータとを１対１に対応させて識別番号を付与することで、特定の使用者や、特定のファイルを対象にして再生動作を行わせることが可能となるという効果を奏する。
【図面の簡単な説明】
【図１】本実施の形態の情報再生装置の外観図である。
【図２】情報再生装置の構成を示すブロック図である。
【図３】情報再生装置の詳細な構成を示すブロック図である。
【図４】ＯＳＤデコーダの出力部を示す図である。
【図５】再生データの転送タイミングの調整部を示す図である。
【図６】オーディオおよびビデオ出力部を示す図である。
【図７】顧客コードの設定動作を示す図である。
【図８】プロテクトデータ構造を示す図であり、図８Ａは通常のＭＰＥＧデータ、図８Ｂは電子ＰＯＰ用ＭＰＥＧデータである。
【図９】板状半導体メモリのディレクトリを示す図である。
【符号の説明】
１……情報再生装置、２……板状半導体メモリ、３……ＬＣＤ、４……スピーカ、５……外部出力端子、６……マイクロコンピュータ、７……ＭＰＥＧデコーダ、８……ＮＴＳＣエンコーダ、９……Ｄ／Ａコンバータ
【図１】
0004374728.tif 000002
【図２】
0004374728.tif 000003
【図３】
0004374728.tif 000004
【図４】
0004374728.tif 000005
【図５】
0004374728.tif 000006
【図６】
0004374728.tif 000007
【図７】
0004374728.tif 000008
【図８】
0004374728.tif 000009
【図９】
0004374728.tif 000010